(57)【要約】【課題】移動手摺内への水の侵入を防止することができるエスカレータを得ることを目的とする。【解決手段】欄干１は、デッキボード８を有する欄干本体３と、デッキボード８に固定され、移動手摺２を案内する案内レール４と、デッキボード８に固定された水切り部５とを備えている。デッキボード８は、往路側の移動手摺２に沿って延びるデッキ部１０と、移動手摺２の反転部で移動手摺２に沿って弧状に延設された弧状延設部１１とを有している。水切り部５は、弧状延設部１１の外周面の上側部分に固定されている。また、水切り部５は、弧状延設部１１の幅方向外側へ延びている。【選択図】        図１
2004277156.tif 000002
【特許請求の範囲】
【請求項１】
乗客コンベアの搬送方向に沿って設けられており、かつ上記搬送方向の両端部で移動手摺の反転部の内側に位置する弧状延設部を有している欄干本体、
上記欄干本体の外周部に沿って設けられ、移動手摺を案内する移動手摺案内レール、及び
上記弧状延設部の外周面の上側部分に設けられ、上記弧状延設部の外周面上を流れる水を上記弧状延設部の幅方向外側へ導く水切り部
を備えていることを特徴とする乗客コンベアの欄干。
【請求項２】
上記水切り部は、上記弧状延設部の幅方向外側での位置が上記弧状延設部の幅方向内側での位置よりも下方となるように、上記弧状延設部の幅方向に対して斜めに配置されていることを特徴とする請求項１に記載の乗客コンベアの欄干。
【請求項３】
上記水切り部は、上記外周面に対して突出していることを特徴とする請求項１又は請求項２に記載の乗客コンベアの欄干。
【請求項４】
上記水切り部の断面形状は、台形であることを特徴とする請求項３に記載の乗客コンベアの欄干。
【請求項５】
上記水切り部の露出面は、曲面となっていることを特徴とする請求項３に記載の乗客コンベアの欄干。
【請求項６】
上記水切り部の材料は、柔軟性を有する材料であることを特徴とする請求項３乃至請求項５の何れかに記載の乗客コンベアの欄干。
【請求項７】
上記水切り部は、溝部であることを特徴とする請求項１又は請求項２に記載の乗客コンベアの欄干。
【請求項８】
上記溝部の上縁部は、曲面となっていることを特徴とする請求項７に記載の乗客コンベアの欄干。
【発明の詳細な説明】
【０００１】
【発明の属する技術分野】
この発明は、例えばエスカレータや動く歩道等の乗客コンベアの欄干に関するものである。
【０００２】
【従来の技術】
従来のエスカレータでは、移動手摺内への水の侵入を防止するために、欄干のニュアル部（移動手摺が反転される部分）の下部のデッキボードに水切り部が固設されている。雨等によりデッキボード上を流れる水は、デッキボードを伝ってニュアル部の下部の水切り部まで到達したときに、水切り部によりデッキボードの幅方向外側へ排出される（例えば、特許文献１参照）。
【０００３】
【特許文献１】
実開昭６２−１２８０７４号公報
【０００４】
【発明が解決しようとする課題】
しかしながら、ニュアル部では、デッキボードが欄干の長手方向端部側へ突出するように弧状に曲げられているので、ニュアル部の上部の全ての水がデッキボードを伝ってニュアル部の下部に設けられた水切り部に到達するわけではなく、弧状の突出された部分で重力によりデッキボードから離れて流れてしまう水もある。デッキボードから離れた水は、デッキボードに固定された移動手摺案内レールを伝って移動手摺内に侵入してしまう。
【０００５】
そこでこの発明は、上記のような問題点を解決することを課題とするもので、移動手摺内への水の侵入を防止することができるエスカレータを得ることを目的とする。
【０００６】
【課題を解決するための手段】
この発明に係る乗客コンベアの欄干は、乗客コンベアの搬送方向に沿って設けられており、かつ搬送方向の両端部で移動手摺の反転部の内側に位置する弧状延設部を有している欄干本体、欄干本体の外周部に沿って設けられ、移動手摺を案内する移動手摺案内レール、及び弧状延設部の外周面の上側部分に設けられ、弧状延設部の外周面上を流れる水を弧状延設部の幅方向外側へ導く水切り部を備えている。
【０００７】
【発明の実施の形態】
以下、この発明の実施の形態を図面を参照しながら説明する。
実施の形態１．
図１はこの発明の実施の形態１によるエスカレータの欄干を示す一部側面図であり、図２は図１のＩＩ−ＩＩ線に沿った断面図である。また、図３は、図２の上面図である。図において、主枠（図示せず）内には、循環移動される複数の踏段（図示せず）が配置されている。主枠上の幅方向両側には、一対の欄干１が立設されている。各欄干１には、各踏段に同期して移動される環状の移動手摺２が設けられている。移動手摺２は、エスカレータの乗降口の反転部で反転されるようになっている。
【０００８】
各欄干１は、欄干本体３と、欄干本体３に固定され、移動手摺２を案内する移動手摺案内レール４（以下、単に「案内レール４」という）と、欄干本体３の乗降口側に取り付けられたゴム（柔軟性を有する材料）製の水切り部５とを備えている。
【０００９】
各欄干本体３は、互いに対向するステンレス製の内側板６及び外側板７と、内側板６及び外側板７間の空間を覆うように内側板６及び外側板７間に架設され、内側板６及び外側板７の縁部に沿って延びた外周部であるデッキボード８とを有している。内側板６及び外側板７は、エスカレータの乗降口で弧状（半円形状）に形成された弧状端部９をそれぞれ有している。移動手摺２は、弧状端部９の縁部に沿って移動され反転される。欄干本体３内には、移動手摺２を駆動するための駆動輪を有する駆動装置（図示せず）が設けられている。駆動輪は、移動手摺２の内面に押し当てられている。移動手摺２は、回転する駆動輪との摩擦力により移動される。
【００１０】
デッキボード８は、移動手摺２の内側に配置されている。また、デッキボード８は、内側板６及び外側板７の上縁部に沿って延びたデッキ部１０と、弧状端部９の縁部に沿って弧状に延設された弧状延設部１１とを有している。即ち、デッキ部１０は往路側の移動手摺２に対向し、弧状延設部１１は移動手摺２の反転部の内側に位置している。デッキボード８の幅は、移動手摺２の幅よりも大きくなっている。
【００１１】
案内レール４は、デッキボード８に固定されている。移動手摺２は、内面が案内レール４の上部に対して摺動されながら案内レール４に沿って移動される。移動手摺２とデッキボード８との間隔は、案内レール４により保たれている。
【００１２】
水切り部５は、弧状延設部１１の外周面の上側部分に取り付けられている。ここで、弧状延設部１１の外周面の上側部分は、鉛直方向に沿って延びる面に接する弧状延設部１１の部分（先端部）よりも上側の弧状延設部１１の外周面の部分である。即ち、弧状延設部１１の外周面の上側部分は、弧状延設部１１を伝って流れる水の方向がほぼ鉛直方向になる位置よりも上側の弧状延設部１１の外周面の部分である。
【００１３】
水切り部５は、弧状延設部１１の外周面に対して突出している。また、水切り部５は、案内レール４の内側板６側に配置された第１水切り部１３と、案内レール４の外側板７側に配置された第２水切り部１４とを有している。第１水切り部１３は案内レール４の側面から弧状延設部１１の幅方向端部１１ａ側へ延び、第２水切り部１４は案内レール４の側面から弧状延設部１１の幅方向端部１１ｂ側へ延びている。ここでは、第１水切り部１３及び第２水切り部１４は、矩形断面の棒状体であり、第１水切り部１３及び第２水切り部１４の延出方向は、弧状延設部１１の幅方向となっている（図３）。
【００１４】
雨等により弧状延設部１１上を伝って流れる水は、弧状延設部１１の上側部分で水切り部５によって例えば矢印１５（図３）の経路で案内レール４側から幅方向端部１１ａ，１１ｂ側へ導かれる。即ち、弧状延設部１１の外周面上を流れる水は、水切り部５により弧状延設部１１の幅方向外側へ導かれる。弧状延設部１１の幅方向外側へ導かれた水は、弧状延設部１１から乗降口の床面に直接流されて排出される。なお、図１においては、排出される水の経路を矢印１６で示している。
【００１５】
このように構成されたエスカレータの欄干１では、デッキボード８の弧状延設部１１の上側部分に水切り部５が配置されているので、水がデッキボード８から案内レール４を伝って移動手摺２内に侵入する前に、水切り部５によって弧状延設部１１の幅方向端部１１ａ，１１ｂ側（幅方向外側）へ水を導くことができ、移動手摺２内への水の侵入を防止することができる。従って、駆動輪と移動手摺２との間の摩擦力の低下を防止することができ、駆動輪の移動手摺２に対する滑りを防止することができる。
【００１６】
また、水切り部５は、柔軟性を有するゴムで作製されているので、案内レール４の側面及び弧状延設部１１に水切り部５を密着させることができ、水を弧状延出部１１の幅方向外側へ確実に導くことができる。
【００１７】
また、水切り部５は、弧状延設部１１の外周面に対して突出しているので、弧状延設部１１上を流れる水を弧状延出部１１の幅方向外側へさらに確実に導くことができる。
【００１８】
実施の形態２．
図４はこの発明の実施の形態２によるエスカレータの欄干を示す一部側面図であり、図５は図４の矢印２１に沿って見たときの正面図である。図において、水切り部２２は、案内レール４の内側板６側に配置された第１水切り部２３と、案内レール４の外側板７側に配置された第２水切り部２４とを有している。第１水切り部２３及び第２水切り部２４は、矩形断面の棒状体である。また、第１水切り部２３及び第２水切り部２４は、案内レール４側よりも幅方向端部１１ａ，１１ｂ側が下方に配置されるように、案内レール４から幅方向端部１１ａ，１１ｂ側へそれぞれ延びている。即ち、水切り部２２は、弧状延設部１１の幅方向外側での位置が弧状延設部１１の幅方向内側での位置よりも下方になるように、弧状延設部１１の幅方向に対して斜めに配置されている。他の構成は実施の形態１と同様である。
【００１９】
このように構成されたエスカレータの欄干１では、弧状延設部１１の幅方向外側での位置が弧状延設部１１の幅方向内側での位置よりも下方になるように、弧状延設部１１の幅方向に対して斜めに配置されているので、デッキボード８上の水を案内レール４側から幅方向端部１１ａ，１１ｂ側へさらに確実に導くことができる。
【００２０】
実施の形態３．
図６は、この発明の実施の形態３によるエスカレータの欄干を示す要部側面図である。図において、水切り部３２の移動手摺２側（外側）の露出面は、曲面となっている。他の構成は実施の形態１と同様である。
【００２１】
このように構成されたエスカレータの欄干１では、水切り部３２の露出面が曲面になっているので、エスカレータの意匠性を向上させることができる。
【００２２】
実施の形態４．
図７は、この発明の実施の形態４によるエスカレータの欄干を示す要部側面図である。図において、水切り部４２の延出方向に対して垂直な平面での水切り部４２の断面形状は、台形となっている。また、水切り部４２の弧状延設部１１への取付面は、断面台形の下底を含む面となっている。水切り部４２は、接着剤によって弧状延設部１１に取り付けられている。他の構成は実施の形態１と同様である。
【００２３】
このように構成されたエスカレータの欄干１では、水切り部４２の断面形状が台形であるので、エスカレータの意匠性を向上させることができる。また、水切り部４２の弧状延設部１１に対する取付面の面積を大きくすることができ、水切り部４２を弧状延設部１１から剥がれにくくすることができる。
【００２４】
なお、実施の形態１〜４では、水切り部は弧状延設部１１の上側部分の１箇所のみに設けられているが、弧状延設部１１の上側部分の複数箇所に水切り部を設けてもよい。
【００２５】
また、実施の形態１〜４では、水切り部はゴム製であるが、例えばステンレス鋼製あるいは樹脂製であってもよい。
【００２６】
実施の形態５．
図８はこの発明の実施の形態５によるエスカレータの欄干を示す一部側面図であり、図９は図８のＩＸ−ＩＸ線に沿った断面図である。また、図１０は、図９の上面図である。図において、弧状延設部１１の外周面の上側部分には、水切り部である溝部５１が設けられている。溝部５１は、案内レール４の内側板６側に配置された第１溝部５２と、案内レール４の外側板７側に配置された第２溝部５３とを有している。第１溝部５２は案内レール４側から幅方向端部１１ａ側へ延び、第２溝部５３は案内レール４側から幅方向端部１１ｂ側へ延びている。ここでは、第１溝部５２及び第２溝部５３は、弧状延設部１１の幅方向に沿ってそれぞれ延びている（図１０）。
【００２７】
例えば雨等により弧状延設部１１上を伝って流れる水は、弧状延設部１１の上側部分で溝部５１に流れ込み、溝部５１によって例えば矢印５４（図１０）の経路で幅方向端部１１ａ，１１ｂ側（弧状延設部１１の幅方向外側）へ導かれる。幅方向端部１１ａ，１１ｂ側へ導かれた水は、弧状延設部１１から乗降口の床面に直接流されて排出される。なお、図８においては、排出される水の経路を矢印５５で示している。他の構成は実施の形態１と同様である。
【００２８】
このように構成されたエスカレータの欄干１は、デッキボード８の弧状延設部１１の上側部分に溝部５１が設けられているので、水がデッキボード８から案内レール４を伝って移動手摺２内に侵入する前に、溝部５１によって弧状延設部１１の幅方向外側へ水を導くことができ、移動手摺２内への水の侵入を防止することができる。
【００２９】
実施の形態６．
図１１はこの発明の実施の形態６によるエスカレータの欄干を示す一部側面図であり、図１２は図１１の矢印６１に沿って見たときの正面図である。図において、水切り部である溝部６２は、案内レール４の内側板６側に配置された第１溝部６３と、案内レール４の外側板７側に配置された第２溝部６４とを有している。第１溝部６３及び第２溝部６４は、案内レール４側よりも幅方向端部１１ａ，１１ｂ側が下方に配置されるように、案内レール４から幅方向端部１１ａ，１１ｂ側へそれぞれ延びている。即ち、溝部６２は、弧状延設部１１の幅方向外側での位置が弧状延設部１１の幅方向内側での位置よりも下方になるように、弧状延設部１１の幅方向に対して斜めに配置されている。他の構成は実施の形態５と同様である。
【００３０】
このように構成されたエスカレータの欄干１では、溝部６２は弧状延設部１１の幅方向外側での位置が弧状延設部１１の幅方向内側での位置よりも下方になるように、弧状延設部１１の幅方向に対して斜めに配置されているので、デッキボード８上の水を案内レール４側から弧状延設部１１の幅方向外側へ確実に導くことができる。
【００３１】
実施の形態７．
図１３は、この発明の実施の形態７によるエスカレータの欄干を示す要部側面図である。図において、水切り部である溝部７１の上縁部は、曲面となっている。即ち、溝部７１と弧状延設部１１の外周面との境界部分が曲面となっている。他の構成は実施の形態５と同様である。
【００３２】
このように構成されたエスカレータの欄干１では、溝部７１の上縁部が曲面となっているので、デッキボード８上を流れる水が溝部７１内に流れ込み易くなり、溝部５１によって幅方向端部１１ａ，１１ｂ側へ水を容易に導くことができる。また、エスカレータの意匠性を向上させることもできる。
【００３３】
なお、実施の形態５〜７では、溝部は弧状延設部１１の外周面の上側部分の１箇所のみに設けられているが、弧状延設部１１の外周面の上側部分の複数箇所に溝部を設けてもよい。
【００３４】
また、上記各実施の形態では、この発明がエスカレータに適用されているが、動く歩道に適用されても構わない。
【００３５】
【発明の効果】
以上の説明から明らかなように、この発明に係る乗客コンベアの欄干は、移動手摺案内レールに案内される移動手摺の反転部の内側に位置する弧状延設部を有している欄干本体、及び弧状延設部の外周面の上側部分に設けられ、弧状延設部の外周面上を流れる水を弧状延設部の幅方向外側へ導く水切り部を備えているので、水が移動手摺案内レールを伝って移動手摺内に侵入する前に、水切り部によって弧状延設部の幅方向外側へ水を導くことができ、移動手摺内への水の侵入を防止することができる。
【図面の簡単な説明】
【図１】この発明の実施の形態１によるエスカレータの欄干を示す一部側面図である。
【図２】図１のＩＩ−ＩＩ線に沿った断面図である。
【図３】図２の上面図である。
【図４】この発明の実施の形態２によるエスカレータの欄干を示す一部側面図である。
【図５】図４の矢印２１に沿って見たときの正面図である。
【図６】この発明の実施の形態３によるエスカレータの欄干を示す要部側面図である。
【図７】この発明の実施の形態４によるエスカレータの欄干を示す要部側面図である。
【図８】この発明の実施の形態５によるエスカレータの欄干を示す一部側面図である。
【図９】図８のＩＸ−ＩＸ線に沿った断面図である。
【図１０】図９の上面図である。
【図１１】この発明の実施の形態６によるエスカレータの欄干を示す一部側面図である。
【図１２】図１１の矢印６１に沿って見たときの正面図である。
【図１３】この発明の実施の形態７によるエスカレータの欄干を示す要部側面図である。
【符号の説明】
１  欄干、２  移動手摺、３  欄干本体、４  案内レール（移動手摺案内レール）、５，２２，３２，４２  水切り部（水切り部）、８  デッキボード（外周部）、１１  弧状延設部、１１ａ，１１ｂ  幅方向端部、５１，６２，７１  溝部（水切り部）。
【図１】
2004277156.tif 000003
【図２】
2004277156.tif 000004
【図３】
2004277156.tif 000005
【図４】
2004277156.tif 000006
【図５】
2004277156.tif 000007
【図６】
2004277156.tif 000008
【図７】
2004277156.tif 000009
【図８】
2004277156.tif 000010
【図９】
2004277156.tif 000011
【図１０】
2004277156.tif 000012
【図１１】
2004277156.tif 000013
【図１２】
2004277156.tif 000014
【図１３】
2004277156.tif 000015